(57)【要約】【課題】遊技機側遊技媒体流通管を確実に設置すると共に耐久性の向上を図る。【解決手段】保持手段２８により、第１管体２２Ａ、第２管体２２Ｂ、第３管体２２Ｃからなる可変路１３が遊技機側遊技媒体回収管１２Ａに介設された状態が保持されている。保持手段２８により、可変路１３が介設された遊技機側遊技媒体回収管１２Ａの箇所間の距離が一定に保持された状態で、各管体２２Ａ、２２Ｂ、２２Ｃを回転させ、各管体２２Ａ、２２Ｂ、２２Ｃの湾曲の向きを変化させることにより、遊技機側遊技媒体回収管１２Ａの延在方向を変える。【選択図】図２
2015128515.tif 000002
【特許請求の範囲】
【請求項１】
遊技媒体流通管に介設され前記遊技媒体流通管の延在方向を可変とした遊技媒体流通管用管路可変装置であって、
前記遊技媒体流通管に介設される少なくとも１つの可変路を備え、
前記可変路は、少なくとも３つの管体が接続されることで構成され、
前記可変路が介設される前記遊技媒体流通管の箇所は、それぞれ前記遊技媒体流通管の開口の外周部に設けられた遊技媒体流通管側接合部を有し、
前記管体は、湾曲した管部と、前記管部の延在方向の両端の開口の外周部に設けられた管体側接合部とを有し、
前記遊技媒体流通管側接合部とこの遊技媒体流通管側接合部に接続される前記管体の前記管体側接合部どうし、および、隣り合う前記管体の前記管体側接合部どうしは、それら遊技媒体流通管の開口および管体の開口の径方向に移動不能かつ周方向に移動可能に係合され、
前記可変路が介設される前記遊技媒体流通管の箇所にわたって延在しそれら遊技媒体流通管の箇所間の距離を一定に保持する保持手段が設けられている、
ことを特徴とする遊技媒体流通管用管路可変装置。
【請求項２】
前記保持手段は、前記遊技媒体流通管の直径上に位置する２箇所にそれぞれ設けられている、
ことを特徴とする請求項１記載の遊技媒体流通管用管路可変装置。
【請求項３】
前記保持手段は、前記可変路が介設される前記遊技媒体流通管の箇所にそれぞれ設けられた取り付け部と、細長形状を呈して前記取り付け部間に架け渡されその長手方向の両端が前記取り付け部に取着される連結プレートとで構成されている、
ことを特徴とする請求項１または２記載の遊技媒体流通管用管路可変装置。
【請求項４】
前記遊技媒体流通管側接合部は、前記遊技媒体流通管の前記開口の中心を中心として環状に拡がる遊技媒体流通管側環板部と、前記遊技媒体流通管側環板部に設けられ前記開口の中心を中心として環状に延在する遊技媒体流通管側凹凸部とを有し、
前記管体側接合部は、前記管部の前記開口の中心を中心として環状に拡がる管体側環板部と、前記管体側環板部に設けられ前記開口の中心を中心として環状に延在する管体側凹凸部とを有し、
前記遊技媒体流通管側凹凸部と前記管体側凹凸部どうし、および、隣り合う前記管体の前記管体側凹凸部どうしは、それらが全周にわたって合わされた状態で前記開口の径方向に移動不能かつ前記開口の周方向に移動可能に係合される、
ことを特徴とする請求項１〜３の何れか１項記載の遊技媒体流通管用管路可変装置。
【請求項５】
前記管体に、当該管体を回転操作するための操作部が設けられている、
ことを特徴とする請求項１〜４の何れか１項記載の遊技媒体流通管用管路可変装置。
【請求項６】
前記互いに接続された３つの管体のうち、中央に位置する管体の管部の長さが最も大きく、両端に配置される管体は管部の長さが中央に位置する管体の管部よりも短く互いに同一の形状で形成されている、
ことを特徴とする請求項１〜５の何れか１項記載の遊技媒体流通管用管路可変装置。
【請求項７】
前記可変路が介設される前記遊技媒体流通管の箇所は、前記遊技媒体流通管に回転可能に結合された環体で構成されている、
ことを特徴とする請求項１〜６の何れか１項記載の遊技媒体流通管用管路可変装置。
【発明の詳細な説明】
【技術分野】
【０００１】
本発明は、遊技媒体流通管用管路可変装置に関する。
【背景技術】
【０００２】
遊技店には、遊技機と、遊技機に併設され遊技媒体の払い出しを行なう遊技媒体貸出機（以下単に貸出機という）とが並べられて構成された遊技島が設置されている。
これら遊技機および貸出機から排出された遊技媒体は、遊技機および貸出機の下方で遊技島の延在方向に沿って配置された回収コンベアに排出され、回収コンベアによって回収された遊技媒体は、揚送装置によって揚送されたのち、媒体補給装置によって遊技機および貸出機に補給される。
遊技機と回収コンベアとの間には、遊技媒体を回収コンベアに流通させる遊技機側回収手段が設けられ、貸出機と回収コンベアとの間には、遊技媒体を回収コンベアに流通させる貸出機側回収手段が設けられている。
【０００３】
遊技機および貸出機と回収コンベアとの位置関係は、遊技機および貸出機の仕様、遊技機および貸出機を保持するフレームの仕様によって変化する。
また、遊技島の構成によっては、回収コンベアがその延在方向に沿って一定の勾配を有しており、回収コンベアの延在方向の位置に対応して遊技機および貸出機と回収コンベアとの距離が少しずつ変化するという場合もある。
そのため、遊技機側回収手段および貸出機側回収手段を板金を用いて構成すると、上記の位置関係に応じて遊技機側回収手段および貸出機側回収手段の設計変更が必要となり、コスト低減を図る上で不利がある。
一方、特許文献１、２には、蛇腹状の補給装置や樋を用いて遊技媒体を流通させる構成が開示されている。
そこで、このような蛇腹状の補給装置や樋を用いて遊技機側回収手段および貸出機側回収手段を構成し、遊技機および貸出機と回収コンベアとの位置関係に応じて蛇腹状の補給装置や樋を湾曲させて姿勢を変えれば、上記のような設計変更が不要となる。
【先行技術文献】
【特許文献】
【０００４】
【特許文献１】特開２０１２−１０８１４号公報
【特許文献２】特開２００３−１５４１５１号公報
【発明の概要】
【発明が解決しようとする課題】
【０００５】
しかしながら、上述した蛇腹状の補給装置や樋は、その構造上、湾曲可能な角度に限界があり、蛇腹状の補給装置や樋の姿勢の自由度にも制約がある。そのため、遊技機および貸出機と回収コンベアとの位置関係によっては、遊技機および貸出機と回収コンベアとを接続することが困難となる。
また、蛇腹状の補給装置や樋は、湾曲した箇所に局部的に応力が作用するため、耐久性の向上を図る上で不利がある。
本発明は、上記事情に鑑みてなされたものであり、その目的は、遊技媒体流通管を確実に設置すると共に、耐久性の向上を図る上で有利な遊技媒体流通管用管路可変装置を提供することにある。
【課題を解決するための手段】
【０００６】
上記目的を達成するために、請求項１記載の発明は、遊技媒体流通管に介設され前記遊技媒体流通管の延在方向を可変とした遊技媒体流通管用管路可変装置であって、前記遊技媒体流通管に介設される少なくとも１つの可変路を備え、前記可変路は、少なくとも３つの管体が接続されることで構成され、前記可変路が介設される前記遊技媒体流通管の箇所は、それぞれ前記遊技媒体流通管の開口の外周部に設けられた遊技媒体流通管側接合部を有し、前記管体は、湾曲した管部と、前記管部の延在方向の両端の開口の外周部に設けられた管体側接合部とを有し、前記遊技媒体流通管側接合部とこの遊技媒体流通管側接合部に接続される前記管体の前記管体側接合部どうし、および、隣り合う前記管体の前記管体側接合部どうしは、それら遊技媒体流通管の開口および管体の開口の径方向に移動不能かつ周方向に移動可能に係合され、前記可変路が介設される前記遊技媒体流通管の箇所にわたって延在しそれら遊技媒体流通管の箇所間の距離を一定に保持する保持手段が設けられていることを特徴とする。
請求項２記載の発明は、前記保持手段は、前記遊技媒体流通管の直径上に位置する２箇所にそれぞれ設けられていることを特徴とする。
請求項３記載の発明は、前記保持手段は、前記可変路が介設される前記遊技媒体流通管の箇所にそれぞれ設けられた取り付け部と、細長形状を呈して前記取り付け部間に架け渡されその長手方向の両端が前記取り付け部に取着される連結プレートとで構成されていることを特徴とする。
請求項４記載の発明は、前記遊技媒体流通管側接合部は、前記遊技媒体流通管の前記開口の中心を中心として環状に拡がる遊技媒体流通管側環板部と、前記遊技媒体流通管側環板部に設けられ前記開口の中心を中心として環状に延在する遊技媒体流通管側凹凸部とを有し、前記管体側接合部は、前記管部の前記開口の中心を中心として環状に拡がる管体側環板部と、前記管体側環板部に設けられ前記開口の中心を中心として環状に延在する管体側凹凸部とを有し、前記遊技媒体流通管側凹凸部と前記管体側凹凸部どうし、および、隣り合う前記管体の前記管体側凹凸部どうしは、それらが全周にわたって合わされた状態で前記開口の径方向に移動不能かつ前記開口の周方向に移動可能に係合されることを特徴とする。
請求項５記載の発明は、前記管体に、当該管体を回転操作するための操作部が設けられていることを特徴とする。
請求項６記載の発明は、前記互いに接続された３つの管体のうち、中央に位置する管体の管部の長さが最も大きく、両端に配置される管体は管部の長さが中央に位置する管体の管部よりも短く互いに同一の形状で形成されていることを特徴とする。
請求項７記載の発明は、前記可変路が介設される前記遊技媒体流通管の箇所は、前記遊技媒体流通管に回転可能に結合された環体で構成されていることを特徴とする。
【発明の効果】
【０００７】
請求項１記載の発明によれば、３つの管体からなる可変路と、保持手段とにより遊技媒体流通管の延在方向を可変としたので、遊技媒体を流通させる遊技媒体流通管の姿勢を可変する際の自由度を確保する上で有利となり、遊技媒体流通管を確実に設置する上で有利となる。
また、遊技媒体流通管用管路可変装置が３つの管体からなる可変路と、保持手段とにより構成されているため、遊技媒体流通管の延在方向をどのように変化させても、３つの管体と保持手段とに局部的な応力が加わることがないため、遊技媒体流通管の耐久性の向上を図る上で有利となる。
請求項２記載の発明によれば、可変路の両端を安定した状態で支持する上で有利となる。
請求項３記載の発明によれば、保持手段の構成を簡素化する上で有利となる。
請求項４記載の発明によれば、３つの管体を簡単な構成で結合する上で有利となる。
請求項５記載の発明によれば、管体の回転操作の簡単化を図る上で有利となる。
請求項６記載の発明によれば、接続された３つの管体の湾曲度を簡単に変える上で有利となる。
請求項７記載の発明によれば、環体を回転することで遊技媒体流通管の姿勢を可変する際の自由度を確保する上で有利となる。
【図面の簡単な説明】
【０００８】
【図１】本実施の形態の遊技媒体流通管用管路可変装置が適用された遊技媒体回収管を用いた遊技島の要部を示す斜視図である。
【図２】遊技媒体回収管の上流端に設けられた遊技媒体回収管用管路可変装置を示す断面図である。
【図３】遊技媒体回収管用管路可変装置の分解斜視図である。
【図４】（Ａ）は遊技媒体回収管側接合部と管体側接合部との接合部分の断面図、（Ｂ）は管体側接合部どうしの接合部分の断面図、（Ｃ）は管体側接合部と遊技媒体回収管側接合部との接合部分の断面図である。
【図５】３つの管体の形状が、最も小さい曲率半径で円弧状に延在した状態を示す斜視図である。
【図６】図５の断面図である。
【図７】３つの管体の形状が図５、図６よりも大きい曲率半径で円弧状に延在した状態を示す斜視図である。
【図８】図７の断面図である。
【図９】３つの管体の形状が図７、図８よりも大きい曲率半径で円弧状に延在した状態を示す斜視図である。
【図１０】図９の断面図である。
【図１１】３つの管体の形状が直線状に延在した状態を示す斜視図である。
【図１２】図１１の断面図である。
【図１３】遊技島の一部を示す正面図である。
【発明を実施するための形態】
【０００９】
（第１の実施の形態）
以下、本発明の実施の形態について添付図面を参照して説明する。
まず、本発明が適用される遊技島の構成について説明する。
図１３に示すように、遊技島２は、遊技機４と、遊技機４に併設され遊技媒体の払い出しを行なう貸出機６とが並べられて構成されている。
本実施の形態では、遊技媒体がメダルであり、遊技機４がスロットマシンであり、貸出機６がメダル貸出機６である場合について説明するが、遊技媒体がパチンコ玉であり、遊技機がパチンコ台であり、貸出機が玉貸機であっても本発明は無論適用可能である。
遊技機４および貸出機６は、水平方向に沿って延在する膳板８の上に設置されている。
遊技機４および貸出機６の下方には、それら遊技機４および貸出機６から排出された遊技媒体を回収する回収コンベア１０が遊技島２の延在方向に沿って延在して設置されている。
【００１０】
本実施の形態では、図１に示すように、２つの膳板８が遊技島２の延在方向と直交する方向に間隔をおいて平行に延在しており、それら２つの膳板８の上に沿って遊技機４および貸出機６が並べられて配置され、それら２つの膳板８に配置された遊技機４および貸出機６は、互いに背中合わせとなるように配置されている。
また、回収コンベア１０は、平面視した状態で２つの膳板８の中間に設置されている。
図１、図１３に示すように、遊技機４の媒体排出口と回収コンベア１０との間には遊技機側遊技媒体回収管１２Ａが介設され、この遊技機側遊技媒体回収管１２Ａを介して遊技媒体が遊技機４から回収コンベア１０に搬送される。
貸出機６の媒体排出口と回収コンベア１０との間には貸出機側遊技媒体回収管１２Ｂが介設され、この貸出機側遊技媒体回収管１２Ｂを介して遊技媒体が貸出機６から回収コンベア１０に搬送される。
なお、図中、符号１４Ａは、遊技機４の媒体排出口から排出される遊技媒体を導入するホッパを示し、ホッパ１４Ａは、その一部が膳板８に形成された切り欠きに収容された状態で膳板８に取着される共に、遊技機側遊技媒体回収管１２Ａの上端に接続されている。
符号１６Ａは、遊技機側遊技媒体回収管１２Ａの下端を回収コンベア１０に接続する取り付け部材である。
符号１４Ｂは、貸出機６の媒体排出口から排出される遊技媒体を導入するホッパを示し、ホッパ１４Ｂは、膳板８の一側に取着されると共に、貸出機側遊技媒体回収管１２Ｂの上端に接続されている。
符号１６Ｂは、貸出機側遊技媒体回収管１２Ｂの下端を回収コンベア１０に接続する取り付け部材である。
【００１１】
図１に示すように、本実施の形態では、遊技媒体流通管に介設され遊技媒体流通管の延在方向を可変とした遊技媒体流通管用管路可変装置は、遊技機側遊技媒体回収管１２Ａの上流端と下流端との２箇所にそれぞれ設けられた可変路１３を有し、また、貸出機側遊技媒体回収管１２Ｂの上流端と下流端との２箇所にそれぞれ設けられた可変路１３とを有している。
何れの箇所に設けられた遊技媒体流通管用管路可変装置２０の可変路１３も同様な構成であるため、図２〜図１２に示すように、遊技機側遊技媒体回収管１２Ａの上流端に設けられた可変路１３を例にとって説明する。
したがって、本実施の形態では、遊技媒体流通管は遊技機側遊技媒体回収管１２Ａ、貸出機側遊技媒体回収管１２Ｂであり、遊技媒体流通管用管路可変装置は遊技媒体回収管用管路可変装置２０である。
遊技媒体回収管用管路可変装置２０は、互いに接続された状態で遊技機側遊技媒体回収管１２Ａに介設される可変路１３と保持手段２８とを有している。可変路１３は第１管体２２Ａ、第２管体２２Ｂ、第３管体２２Ｃの３つの管体で構成されている。
【００１２】
図２、図３に示すように、可変路１３が介設される遊技機側遊技媒体回収管１２Ａの箇所は、それぞれ遊技機側遊技媒体回収管１２Ａの中心を中心とした円形の開口１２０２を有すると共に、開口１２０２の外周部に設けられた遊技媒体回収管側接合部３０を有している。
すなわち、可変路１３が介設される遊技機側遊技媒体回収管１２Ａの箇所は、それぞれ遊技機側遊技媒体回収管１２Ａの延在方向と直交する面で切断され、円形の開口１２０２を有している。
図４（Ａ）、（Ｃ）に示すように、遊技媒体回収管側接合部３０は、遊技媒体回収管側環板部３００２と遊技媒体回収管側凹凸部３００４とを備えている。
遊技媒体回収管側環板部３００２は、遊技機側遊技媒体回収管１２Ａの円形の開口１２０２の中心を中心として環状に拡がっている。
遊技媒体回収管側凹凸部３００４は、遊技媒体回収管側環板部３００２に設けられ円形の開口１２０２の中心を中心として環状に延在している。
【００１３】
本実施の形態では、図２、図３に示すように、可変路１３が介設される遊技機側遊技媒体回収管１２Ａの箇所は、遊技機側遊技媒体回収管１２Ａに回転可能に結合された環体３２Ａで構成されている。
環体３２Ａは、遊技機側遊技媒体回収管１２Ａの内径と同一の内径で形成され、環体３２Ａの両側の爪部３２０２が、遊技機側遊技媒体回収管１２Ａの端部の鍔部１２１０の切り欠き１２１２を通って環体３２Ａが回転されることで、爪部３２０２が鍔部１２１０に係止している。
これにより、環体３２Ａが遊技機側遊技媒体回収管１２Ａに回転可能に結合されている。
【００１４】
図２、図４に示すように、各管体２２Ａ、２２Ｂ、２２Ｃは、管部２４と管体側接合部２６を有している。
各管体２２Ａ、２２Ｂ、２２Ｃの管部２４は、遊技機側遊技媒体回収管１２Ａと同一の内径を有し、かつ、互いに同一の曲率半径で円弧状に湾曲している。
管部２４の両端の開口２４０２は、管部２４の両端が管部２４の曲率中心を通り管部２４の延在方向と直交する面で切断されて円形となっている。
したがって、各管体２２Ａ、２２Ｂ、２２Ｃは、図３、図６に示すように、曲率中心側に位置する箇所が長さが最も小さく、曲率中心から最も離れた箇所が長さが最も大きい。
互いに接続された３つの管体２２Ａ、２２Ｂ、２２Ｃのうち、中央に位置する第２管体２２Ｂの管部２４が最も長く、両端に配置される第１、第３管体２２Ａ、２２Ｃは第２管体２２Ｂよりも短く同一の形状で形成されている。このように各管体２２Ａ、２２Ｂ、２２Ｃの長さを設定すると、各管体２２Ａ、２２Ｂ、２２Ｃを回転操作し、接続された状態の３つの管体２２Ａ、２２Ｂ、２２Ｃの湾曲度を変化させる際に、所望の湾曲度に簡単に変化させる上で有利となる。
管体側接合部２６は、管部２４の延在方向の両端に設けられている。
図４に示すように、管体側接合部２６は、管体側環板部２６０２と管体側凹凸部２６０４とを備えている。
管体側環板部２６０２は、管部２４の円形の開口２４０２の中心を中心として環状に拡がっている。
管体側凹凸部２６０４は、管体側環板部２６０２に設けられ円形の開口２４０２の中心を中心として環状に延在している。
本実施の形態では、図２、図３に示すように、中央に配置される第２管体２２Ｂの長さが大きく、この第２管体２２Ｂの管部２４に、当該管体２２Ｂを回転操作するための操作部２４１０が設けられ、第２管体２２Ｂの回転操作が簡単になされるように図られている。
【００１５】
図４（Ａ）〜（Ｃ）に示すように、遊技媒体回収管側凹凸部３００４とこの遊技媒体回収管側凹凸部３００４に接続される第１管体２２Ａ（第３管体２２Ｃ）の管体側凹凸部２６０４どうし、および、隣り合う管体の管体側凹凸部２６０４どうしは、それらの全周にわたって合わされた状態で開口２４０２の径方向に移動不能かつ開口２４０２の周方向に移動可能に係合されている。
【００１６】
図３に示すように、保持手段２８は、可変路１３が介設される遊技機側遊技媒体回収管１２Ａの箇所にそれぞれ設けられた、すなわち、環体３２Ａに設けられた取り付け部３４と、それら取り付け部３４に取着される連結プレート３６とで構成されている。
取り付け部３４は、開口１２０２の直径上に位置する２箇所にそれぞれ取り付け板３４０２と、各取り付け板３４０２に突設されたスナップフィットピン３４０４とで構成されている。
連結プレート３６は、細長形状を呈して取り付け部３４間に架け渡され、その長手方向の両端にスナップフィットピン３４０４に嵌合可能な取り付け孔３６０２が形成されている。
遊技媒体回収管側凹凸部３００４とこの遊技媒体回収管側凹凸部３００４に接続される第１管体２２Ａ（第３管体２２Ｃ）の管体側凹凸部２６０４どうし、および、隣り合う管体の管体側凹凸部２６０４どうしが係合され、可変路１３が遊技機側遊技媒体回収管１２Ａに介設された状態で、可変路１３が介設された遊技機側遊技媒体回収管１２Ａの箇所が取り付け部３４を介して連結プレート３６により連結されることにより、可変路１３が介設された遊技機側遊技媒体回収管１２Ａの箇所間の距離が一定に保持されている。これにより、第１管体２２Ａ、第２管体２２Ｂ、第３管体２２Ｃの３つの管体が互いに接続された状態で遊技機側遊技媒体回収管１２Ａに介設された状態が保持されている。本実施の形態では、連結プレート３６が遊技機側遊技媒体回収管１２Ａの直径上で対向する２箇所に設けられているため、可変路１３を安定した状態で支持する上で有利となっている。
【００１７】
本実施の形態によれば、連結プレート３６により可変路１３が介設された遊技機側遊技媒体回収管１２Ａの箇所間の距離が一定に保持された状態で、各管体２２Ａ、２２Ｂ、２２Ｃを回転させ、各管体２２Ａ、２２Ｂ、２２Ｃの曲率中心側に位置する長さが最も小さい箇所と、曲率中心から最も離れ長さが最も大きい箇所とを適宜入れ替えることで、すなわち、各管体２２Ａ、２２Ｂ、２２Ｃの湾曲の向きを変化させることにより、図５、図６に示すように、互いに接続された３つの管体２２Ａ、２２Ｂ、２２Ｃの形状が、最も小さい曲率半径で円弧状に延在する。
また、図７、図８に示すように、互いに接続された３つの管体２２Ａ、２２Ｂ、２２Ｃの形状が、図５、図６に示す状態よりも大きい曲率半径で円弧状に延在する。
また、図９、図１０に示すように、互いに接続された３つの管体２２Ａ、２２Ｂ、２２Ｃの形状が、図７、図８に示す状態よりも大きい曲率半径で円弧状に延在する。
また、図１１、図１２に示すように、互いに接続された３つの管体２２Ａ、２２Ｂ、２２Ｃの形状が、見る方向によっては、直線状に延在する。
この場合は、図１２に示すように、見る方向によっては、可変路１３が介設される遊技機側遊技媒体回収管１２Ａの箇所の円形の開口１２０２の中心線が一致する。
【００１８】
次に、遊技島２における遊技機側遊技媒体回収管１２Ａの設置作業について、遊技機側遊技媒体回収管１２Ａを例にとって説明する。
図１に示すように、予め、遊技機４側のホッパ１４Ａは膳板８に取着されており、遊技機４側の取り付け部材１６Ａは回収コンベア１０に取着されている。
図２、図３に示すように、遊技機側遊技媒体回収管１２Ａは、遊技機４側のホッパ１４Ａに設けられた端部１４０２と、この端部１４０２に接続される上流側の環体３２Ａと、上流端側の遊技機側遊技媒体回収管用管路可変装置２０と、第１中間管体３８と、第２中間管体４０と、第３中間管体４２と、下流端側の遊技機側遊技媒体回収管用管路可変装置２０と、下流側の環体３２Ｂと、遊技機４側の取り付け部材１６Ａに設けられ下流側の環体３２Ｂが接続される端部１６０２とを含んで構成されている。
なお、下流側の環体３２Ｂは、上流側の環体３２Ａと同様に構成されている。すなわち、下流側の環体３２Ｂは、遊技機４側の取り付け部材１６Ａに設けられた端部１６０２に、環体３２Ｂの爪部３２０２と遊技機側遊技媒体回収管１２Ａの端部の鍔部１２１０を介して結合されるように構成されている。
【００１９】
第１、第２、第３中間管体３８、４０、４２は、上流端側の遊技機側遊技媒体回収管用管路可変装置２０と下流端側の遊技機側遊技媒体回収管用管路可変装置２０との間にこの順番で接続され、第１、第２、第３中間管体３８、４０、４２はそれら管体の長さ方向に沿って互いにスライド可能に結合され、第１、第２、第３中間管体３８、４０、４２の軸方向の全長が可変となるように構成されている。
したがって、この例では、上流側の環体３２Ａと第１中間管体３８が、可変路１３が介設される遊技機側遊技媒体回収管１２Ａの箇所に相当し、また、第３中間管体４２と下流側の環体３２Ｂが、可変路１３が介設される遊技機側遊技媒体回収管１２Ａの箇所に相当している。
【００２０】
遊技機側遊技媒体回収管１２Ａのうち、上流側の環体３２Ａと、上流端の遊技機側遊技媒体回収管用管路可変装置２０と、第１〜第３中間管体３８、４０、４２と、下流端の遊技機側遊技媒体回収管用管路可変装置２０と、下流側の環体３２Ｂとが予め仮組みされ、単一の中間組立体となっている。
そして、中間組立体の上流側の環体３２Ａを遊技機４側のホッパ１４Ａに設けられた端部１４０２に爪部３２０２と鍔部１２１０を介して結合する。
この状態で中間組立体の下流の環体３２Ａが回収コンベア１０の取り付け部材１６Ａに向かうように環体３２Ａの軸線を中心に中間組立体を旋回させる。
【００２１】
あるいは、遊技機側遊技媒体回収管１２Ａのうち、上流端の遊技機側遊技媒体回収管用管路可変装置２０と、第１〜第３中間管体３８、４０、４２と、下流端の遊技機側遊技媒体回収管用管路可変装置２０と、下流側の環体３２Ｂとが予め仮組みされ、単一の中間組立体となっている。
そして、上流側の環体３２Ａを単体で遊技機４側のホッパ１４Ａに設けられた端部１４０２に爪部３２０２と鍔部１２１０を介して結合し、次いで環体３２Ａに中間組立体を結合させ、中間組立体を旋回させ、中間組立体の下流側の環体３２Ｂが回収コンベア１０の取り付け部材１６Ａに向かう方向となるようする。
【００２２】
次いで、第１〜第３の中間管体３８、４０、４２を適宜軸方向にスライドして中間組立体の下流端の環体３２Ｂを回収コンベア１０の取り付け部材１６Ａの上方に位置させる。
次いで、上流端の遊技機側遊技媒体回収管用管路可変装置２０の第１〜第３管体２２Ａ、２２Ｂ、２２Ｃと、下流端の遊技機側遊技媒体回収管用管路可変装置２０の第１〜第３管体２２Ａ、２２Ｂ、２２Ｃとをそれぞれ適宜回転操作することで、互いに接続された３つの管体２２Ａ、２２Ｂ、２２Ｃの湾曲度を変化させ、遊技機側遊技媒体回収管１２Ａの延在方向を変える。
図２に示すように、下流端の遊技機側遊技媒体回収管用管路可変装置２０の環体３２Ｂが回収コンベア１０の取り付け部材１６Ａに設けられた端部１６０２に結合可能な位置に移動したならば、下流端の遊技機側遊技媒体回収管用管路可変装置２０の環体３２Ｂを遊技機４側の取り付け部材１６Ａに設けられた端部１６０２に爪部３２０２と鍔部１２１０を介して結合する。
以上で遊技機側遊技媒体回収管１２Ａの設置作業が完了する。
なお、貸出機側遊技機側遊技媒体回収管１２Ｂの設置作業についても上記と同様になされる。
【００２３】
本実施の形態によれば、３つの管体２２Ａ、２２Ｂ、２２Ｃからなる可変路１３と、保持手段２８とにより遊技機側遊技媒体回収管１２Ａの延在方向を可変としたので、遊技媒体を流通させる遊技機側遊技媒体回収管１２Ａの姿勢を可変する際の自由度を確保する上で有利となり、遊技機４および貸出機６と回収コンベア１０との位置関係に拘わらず遊技機側遊技媒体回収管１２Ａを確実に設置することができる。
また、遊技機側遊技媒体回収管用管路可変装置２０が３つの管体２２Ａ、２２Ｂ、２２Ｃからなる可変路１３と、保持手段２８とにより構成されているため、遊技機側遊技媒体回収管１２Ａの延在方向をどのように変化させても、３つの管体２２Ａ、２２Ｂ、２２Ｃと保持手段２８とに局部的な応力が加わることがないため、遊技機側遊技媒体回収管１２Ａの耐久性の向上を図る上で有利となる。
【００２４】
なお、本実施の形態では、遊技機側遊技流通管が遊技機側遊技媒体回収管１２Ａであり、遊技媒体流通管用管路可変装置が遊技機側遊技媒体回収管用管路可変装置２０である場合について説明したが、遊技機側遊技流通管が補給コンベアと遊技機４および貸出機６との間を接続する遊技媒体補給管であり、遊技媒体流通管用管路可変装置が遊技媒体補給管用管路可変装置であってもよい。
この場合には、遊技機４および貸出機６と補給コンベアとの位置関係に拘わらず遊技媒体補給管を確実に設置することができる。また、遊技媒体補給管の耐久性の向上を図る上で有利となる。
また、遊技機側遊技流通管は、遊技媒体を扱う様々な装置に設けられたものであっても、あるいは、それら装置間に設けられたものであってもよく、遊技媒体流通管用管路可変装置は、そのような遊技機側遊技流通管に介設されるものであってもよいことは無論である。
【符号の説明】
【００２５】
１２Ａ  遊技機側遊技媒体回収管（遊技媒体流通管）
１２Ｂ  貸出機側遊技媒体回収管（遊技媒体流通管）
１２０２  開口
１３  可変路
１４０２  端部
１６０２  端部
２０  遊技媒体回収管用管路可変装置（遊技媒体流通管用管路可変装置）
２２Ａ  第１管体
２２Ｂ  第２管体
２２Ｃ  第３管体
２４  管部
２４０２  開口
２４１０  操作部
２６  管体側接合部
２６０２  管体側環板部
２６０４  管体側凹凸部
２８  保持手段
３０  遊技媒体回収管側接合部（遊技媒体流通管側接合部）
３００２  遊技媒体回収管側環板部（遊技媒体流通管側環板部）
３００４  遊技媒体回収管側凹凸部（遊技媒体流通管側凹凸部）
３２Ａ、３２Ｂ  環体
３４  取り付け部
３６  連結プレート
【図１】
2015128515.tif 000003
【図２】
2015128515.tif 000004
【図３】
2015128515.tif 000005
【図４】
2015128515.tif 000006
【図５】
2015128515.tif 000007
【図６】
2015128515.tif 000008
【図７】
2015128515.tif 000009
【図８】
2015128515.tif 000010
【図９】
2015128515.tif 000011
【図１０】
2015128515.tif 000012
【図１１】
2015128515.tif 000013
【図１２】
2015128515.tif 000014
【図１３】
2015128515.tif 000015